(57)【特許請求の範囲】
【請求項１】
ヘッドにシェルを螺合させて取り付けることで構成されるフィルターハウジングにおいて、
前記ヘッドの螺合締め込み完了位置に、前記シェル外側に設けた凹部に対向して、施錠具が設置され、
前記施錠具は、円筒体と、弾性体と、ロックピンとから構成され、
前記円筒体は、開口部の一端はその一部分が閉塞し、他の一部分は前記ロックピンの一端部が貫通して突出するよう開口して形成され、開口部の他端はその開口部を取り囲むフランジが形成され、その内部には前記ロックピンと、前記弾性体が内装され、
前記弾性体は、一端が前記円筒体内部に、他端が前記ロックピンに固定され、
前記ロックピンは、前記円筒体から突出した一端部に対する他端部にノブの円筒部を連結して備え、
前記ヘッドと前記シェルとの螺合締め込み完了時に、前記ロックピンの前記弾性体の押圧又は伸張が解かれて、前記弾性体の作用で凹部に突入してロックされることにより、前記ノブの円筒部と前記ノブが一緒に下降し、前記ノブの円筒部と前記フランジが衝突して作業員が感知し得る音を発するように構成されることを特徴とするフィルターハウジングの締め込み完了感知装置。
【請求項２】
前記凹部に隣接して凸条スロープを設けたことを特徴とする請求項１に記載のフィルターハウジングの締め込み完了感知装置。
【請求項３】
前記凹部を前記シェルのねじ山に形成したことを特徴とする請求項１又は請求項２記載のフィルターハウジングの締め込み完了感知装置。
【請求項４】
前記弾性体は、コイルスプリングであることを特徴とする請求項１〜３のいずれかに記載のフィルターハウジングの締め込み完了感知装置。
【請求項５】
前記ヘッド及びシェルは、プラスチックで形成されたことを特徴とする請求項１〜４のいずれかに記載のフィルターハウジングの締め込み完了感知装置。
【請求項６】
前記フィルターハウジングは、病院で使用される内視鏡洗浄用水ろ過に用いられることを特徴とする請求項１〜５のいずれかに記載のフィルターハウジングの締め込み完了感知装置。
【発明の詳細な説明】
【技術分野】
【０００１】
この発明は、ヘッドにシェルを螺合させて取り付けることで構成されるフィルターハウジングにおいて、取り付け完了を音によって感知できるようにして、素人が暗い場所で操作しても、適切な位置にまで確実にヘッドにシェルをねじ込むことができるようにしたフィルターハウジングの締め込み完了感知装置に関する。
【背景技術】
【０００２】
病院で胃カメラに備えた内視鏡を洗浄するには、内視鏡洗浄装置が使用されており、この装置には洗浄液をろ過するろ過装置（フィルターハウジング）が設置されている。このろ過用フィルターの交換は、病院の看護師がフィルター交換時に、シェルを所定の位置まで螺合締めこむことによって行っているが、この目的に使用するフィルターハウジングは、洗浄装置ユニットの内部に取り付けるため、手元が薄暗く、取り付けが完了したか、目視では判断し難い問題があった。
【０００３】
また、このようなろ過装置としては、合成樹脂製のろ過装置が使用されていたが、素人が操作するので、所定の位置まで締め込んでも、最後まで確実に締めこんだのか分かり難く、そのため締め付け不足によるＯリング等のシール不良が発生したり、過締めによるフィルターの破損等の問題が生じていた。そればかりか、緩み防止（ロック機構）が無い場合、振動により緩んだり、誤って緩めて液漏れの発生をもたらす場合も生じている。
【０００４】
このような問題を解決するには、締め付け完了位置に目印をつけておけばよいが、素人が狭い場所とか、暗い場所で使用するので、目印程度ではフィルターを正常な位置にセッティングすることは困難であった。
【発明の開示】
【発明が解決しようとする課題】
【０００５】
この発明は、このような点に鑑みなされたものであり、狭い場所とか、暗い場所でも素人がフィルターを正常な位置に確実にセッティングすることができるフィルターの締め込み完了感知装置を提供することを目的とする。
【０００６】
上記目的を達成するため、本発明者は、鋭意研究の結果、締め込み完了時点で作業員が感知し得る音を発するように構成することによって、素人でも容易にヘッドの締め付けを正常な位置にセッティングできることを見出し、本発明に到達した。
【課題を解決するための手段】
【０００７】
即ち本発明は、ヘッドにシェルを螺合させて取り付けることで構成されるフィルターハウジングにおいて、
前記ヘッドの螺合締め込み完了位置に、前記シェル外側に設けた凹部に対向して、施錠具が設置され、
前記施錠具は、円筒体と、弾性体と、ロックピンとから構成され、
前記円筒体は、開口部の一端はその一部分が閉塞し、他の一部分は前記ロックピンの一端部が貫通して突出するよう開口して形成され、開口部の他端はその開口部を取り囲むフランジが形成され、その内部には前記ロックピンと、前記弾性体が内装され、
前記弾性体は、一端が前記円筒体内部に、他端が前記ロックピンに固定され、
前記ロックピンは、前記円筒体から突出した一端部に対する他端部にノブの円筒部を連結して備え、
前記ヘッドと前記シェルとの螺合締め込み完了時に、前記ロックピンの前記弾性体の押圧又は伸張が解かれて、前記弾性体の作用で凹部に突入してロックされることにより、前記ノブの円筒部と前記ノブが一緒に下降し、前記ノブの円筒部と前記フランジが衝突して作業員が感知し得る音を発するように構成されることを特徴とするフィルターハウジングの締め込み完了感知装置である（請求項１）。
【０００８】
前記凹部に隣接して凸条スロープを設け、前記ロックピンが該スロープを弾性体の力に抗して上昇した後、押圧若しくは伸張が解かれて弾性体の力により該凹部に突入するように構成するのが好ましい（請求項２）。
【０００９】
前記凹部を前記シェルのねじ山に形成し、前記ロックピンが弾性体の力に抗してねじ山を上昇した後、押圧又は伸張が解かれて弾性体の力により凹部に突入するように構成するのが容易に形成できることから好ましい（請求項３）。
【００１０】
前記弾性体はコイルスプリングとするのが好ましい（請求項４）。
【００１１】
また、本発明は前記ヘッド及びシェルが、プラスチックで形成されている場合に特に適している（請求項５）。プラスチックは、締めすぎると破損する場合が生じるからである。
【００１２】
前記フィルターハウジングは、病院で使用される内視鏡洗浄用水ろ過に用いられる場合に特に適している（請求項６）。
【発明の効果】
【００１３】
本発明によれば、締め込み完了を音と目視によって判断でき、そこでロックされるので、病院の看護師等の素人が操作しても、締め付け不足によるＯリング等のシール不良が発生したり、過締めによるフィルターの破損等の問題が生じないほか、ロック機構を採用しているので、振動により緩んだり、誤って緩めて液漏れの発生をもたらすなどのトラブルが生じる恐れが完全に無くなるという絶大な効果を奏する。
【発明を実施するための最良の形態】
【００１４】
次に、本発明の実施の形態を説明する。
【００１５】
図１及び図２は、本発明の一実施例を示すものであり、フィルターハウジングはヘッド１にシェル２を螺合させて取り付けるようになっている。
締め込み完了位置のヘッド１に、先端にコイルスプリング（弾性体）１１で付勢され得るロックピン３を有する施錠具４が装着されている。ねじ山５の締め込み完了時の施錠具４の対向位置には凹部６が形成されている。
【００１６】
施錠具４は、図３に示すように、上端にフランジ７を設けた円筒体８外周ねじ部１２で、ヘッド１に設けたねじ穴に螺合固定されている。ロックピン３上端には、ノブ１０が円筒部９で嵌合している。従って、ロックピン３及びノブ１０は、一体として上下動する。
【００１７】
ロックピン３は、コイルスプリング１１を内装した円筒体８内を突出し得るようになっている。コイルスプリング１１の一端は、円筒体８下端に固定され、他端は、ロックピン３に固定されている。
【００１８】
図2（A）に示すように、ロックピン３がツメ（ねじ山）５を乗り越える際、ロックピン
３はコイルスプリング１１を伸長させて上昇し、ロックピン３に連結したノブ１０も一緒に上昇する。図2（B）に示すように、ロックピン３が押圧を解かれるとコイルスプリングは元の状態に縮小して、ロックピン３が凹部６内に突入すると、図2（B）に示すように、ノブ１０も一緒に下降しノブの円筒体９がフランジ７に当たって“カチツ”とクリック音を発するようになっている。この状態では、ロックピン３先端は、凹部底面に当たっていない。フィルターハウジングは、圧力容器であるので、このようにロックピン３がシェル２に当たらないようにするのが好ましい。
【００１９】
ロックを解除するには、図２（Ｃ）に示すように、ノブ１０を上昇させ、一緒にロックピン３を上昇させればよい。ノブ１０は指を離すとバネの伸縮力により元の図２（Ｃ）の位置に戻るようになっている。
【００２０】
ロックピン３を長くし、ロックピン３が凹部６底面に当たって音を発するようにすることもできる。この場合は、ロックピン３を金属製とし、凹部６底面に金属を固定しておけば、大きな金属音を発するようにすることができる。
【００２１】
上記実施例においては、ツメ５はねじ山でありねじ山に凹部６が形成されているが、別に凹部に隣接して凸条スロープを設けても差し支えない。また、凸条スロープを設けずに、単に凹部だけ設けても良いが、ハウジングは圧力容器であるので、肉厚を薄くできないので好ましくはない。
【００２２】
本発明に使用するフィルターハウジング及びヘッドの材質は、特に限定されないが、ポリプロピレン、ＡＢＳのような合成樹脂とするのが、破壊を効果的に防止できることから好ましい
【図面の簡単な説明】
【００２３】
【図１】本発明一実施例を示す側面図である。
【図２】図１のロック部の詳細図である。
【図３】本発明の施錠具の（Ａ）側面図、（Ｂ）断面図である
【符号の説明】
【００２４】
１・・・・・・フィルターハウジングのヘッド
２・・・・・・シェル
３・・・・・・ロックピン
４・・・・・・施錠具
５・・・・・・ツメ（ねじ山）
６・・・・・・凹部
７・・・・・・フランジ
８・・・・・・円筒体
９・・・・・・ノブの円筒部
１０・・・・・・ノブ
１１・・・・・・コイルスプリング
１２・・・・・・ねじ部
【図１】
0004953982.tif 000002
【図２】
0004953982.tif 000003
【図３】
0004953982.tif 000004